(57)【要約】      （修正有）【課題】ＯＦＤＭ信号変換部の動作設定の変更に伴う作業を簡単化することが可能なケーブル配信用ＯＦＤＭ信号変換装置を提供する。【解決手段】ケーブル配信用ＯＦＤＭ信号変換装置は、ＯＦＤＭ変調処理を少なくとも行うＯＦＤＭ信号変換部１２と、外部記憶媒体５１を接続可能な接続部１７と、前記外部記憶媒体の記憶データの前記ケーブル配信用ＯＦＤＭ信号変換装置への書き込みのトリガを与える第１のトリガ部と、書き込まれた前記記憶データの内容を前記ＯＦＤＭ信号変換部の動作設定に反映するトリガを与える第２のトリガ部とを備える。【選択図】図２
0003209582.tif 000002
【実用新案登録請求の範囲】
【請求項１】
ケーブル配信用ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号変換装置であって、
ＯＦＤＭ変調処理を少なくとも行うＯＦＤＭ信号変換部と、
外部記憶媒体を接続可能な接続部と、
前記外部記憶媒体の記憶データの前記ケーブル配信用ＯＦＤＭ信号変換装置への書き込みのトリガを与える第１のトリガ部と、
書き込まれた前記記憶データの内容を前記ＯＦＤＭ信号変換部の動作設定に反映するトリガを与える第２のトリガ部とを備える、ケーブル配信用ＯＦＤＭ信号変換装置。
【請求項２】
前記ケーブル配信用ＯＦＤＭ信号変換装置は、さらに、
不揮発性メモリと、
揮発性メモリと、
前記外部記憶媒体の記憶データを前記揮発性メモリに書き込み、前記記憶データを判定し、判定結果に応じて、前記揮発性メモリに書き込まれた前記記憶データを前記不揮発性メモリに書き込む書き込み制御部と、
前記不揮発性メモリに書き込まれた前記記憶データに基づいて前記動作設定を行う設定部とを備える、請求項１に記載のケーブル配信用ＯＦＤＭ信号変換装置。
【請求項３】
前記ケーブル配信用ＯＦＤＭ信号変換装置は、さらに、
前記ケーブル配信用ＯＦＤＭ信号変換装置に対する操作内容に応じて前記動作設定の内容を表示する表示部を備える、請求項１または請求項２に記載のケーブル配信用ＯＦＤＭ信号変換装置。
【考案の詳細な説明】
【技術分野】
【０００１】
本考案は、ケーブル配信用ＯＦＤＭ信号変換装置に関する。
【背景技術】
【０００２】
近年のデジタル技術の向上に伴い、テレビ放送等にデジタル技術を応用し、より多くの番組を提供するサービスが提供されている。限られた伝送帯域を使ってより多くの番組を高画質かつ高音質で提供するために、高能率圧縮および多重化技術が用いられている。
【０００３】
このようなデジタル放送システムにおける技術の一例として、たとえば、特開２００６−２６２４８３号公報（特許文献１）には、デジタル放送におけるチャンネル切り替え時間を短縮するための技術が開示されている。すなわち、デジタルマルチメディア放送受信器における放送チャンネルの切り替えを制御する装置であって、伝送ストリームパケットを第１バッファリングした後に、上記切り替えられる放送チャンネルに関するプログラム情報を獲得するために、上記バッファリングされたデータからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、およびイントラフレームを検索する第１の逆多重化部と、上記伝送ストリームパケットを第２バッファリングし、上記第１の逆多重化部で獲得したプログラム情報に基づいて、上記第２バッファリングした伝送ストリームパケットから該当放送チャンネルのオーディオ或いはビデオ伝送ストリームパケットを検索してオーディオ或いはビデオ逆多重化を遂行する第２の逆多重化部とを備える。
【先行技術文献】
【特許文献】
【０００４】
【特許文献１】特開２００６−２６２４８３号公報
【考案の概要】
【考案が解決しようとする課題】
【０００５】
このようなデジタル放送システムにおける放送信号の送信装置では、たとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号変換装置が設けられ、ＯＦＤＭ変調された放送信号が送信される。
【０００６】
このＯＦＤＭ信号変換装置には、たとえばＡＲＩＢ  ＳＴＤ−Ｂ３１の規定に従う多様な通信パラメータの設定が可能である一方で、事業者の運営する局舎においてこのような多様な通信パラメータを変更する必要がある場合、困難性を伴う。
【０００７】
この考案は、上述の課題を解決するためになされたもので、その目的は、ＯＦＤＭ信号変換部の動作設定の変更に伴う作業を簡単化することが可能なケーブル配信用ＯＦＤＭ信号変換装置を提供することである。
【課題を解決するための手段】
【０００８】
（１）上記課題を解決するために、この考案のある局面に係わるケーブル配信用ＯＦＤＭ信号変換装置は、ケーブル配信用ＯＦＤＭ信号変換装置であって、ＯＦＤＭ変調処理を少なくとも行うＯＦＤＭ信号変換部と、外部記憶媒体を接続可能な接続部と、前記外部記憶媒体の記憶データの前記ケーブル配信用ＯＦＤＭ信号変換装置への書き込みのトリガを与える第１のトリガ部と、書き込まれた前記記憶データの内容を前記ＯＦＤＭ信号変換部の動作設定に反映するトリガを与える第２のトリガ部とを備える。
【０００９】
本考案は、このような特徴的な処理部を備えるケーブル配信用ＯＦＤＭ信号変換装置として実現できるだけでなく、かかる特徴的な処理をステップとする方法として実現したり、かかるステップをコンピュータに実行させるためのプログラムとして実現したりすることができる。また、本考案は、このような特徴的な処理部を備えるケーブル配信用ＯＦＤＭ信号変換装置として実現できるだけでなく、ケーブル配信用ＯＦＤＭ信号変換装置の一部または全部を実現する半導体集積回路として実現したり、ケーブル配信用ＯＦＤＭ信号変換装置を含むシステムとして実現したりすることができる。
【考案の効果】
【００１０】
本考案によれば、ＯＦＤＭ信号変換部の動作設定の変更に伴う作業を簡単化することができる。
【図面の簡単な説明】
【００１１】
【図１】図１は、本考案の実施の形態に係る放送システムの構成を示す図である。
【図２】図２は、本考案の実施の形態に係る放送システムにおけるケーブル配信用ＯＦＤＭ信号変換装置の構成を示す図である。
【考案を実施するための形態】
【００１２】
最初に、本考案の実施形態の内容を列記して説明する。
【００１３】
（１）本考案の実施の形態に係るケーブル配信用ＯＦＤＭ信号変換装置は、ケーブル配信用ＯＦＤＭ信号変換装置であって、ＯＦＤＭ変調処理を少なくとも行うＯＦＤＭ信号変換部と、外部記憶媒体を接続可能な接続部と、前記外部記憶媒体の記憶データの前記ケーブル配信用ＯＦＤＭ信号変換装置への書き込みのトリガを与える第１のトリガ部と、書き込まれた前記記憶データの内容を前記ＯＦＤＭ信号変換部の動作設定に反映するトリガを与える第２のトリガ部とを備える。
【００１４】
このように、外部記憶媒体を接続して動作設定を変更可能な構成により、たとえば１つの外部記憶媒体を作業者が複数の装置に順番に挿入することで各装置の動作設定を容易に更新することができる。また、装置を操作して記憶データをネットワークからダウンロードするような技術レベルの高い作業を行うことなく、簡単な作業でより確実に動作設定を更新することができる。したがって、ＯＦＤＭ信号変換装置の動作設定の変更に伴う作業を簡単化することができる。
【００１５】
（２）好ましくは、前記ケーブル配信用ＯＦＤＭ信号変換装置は、さらに、不揮発性メモリと、揮発性メモリと、前記外部記憶媒体の記憶データを前記揮発性メモリに書き込み、前記記憶データを判定し、判定結果に応じて、前記揮発性メモリに書き込まれた前記記憶データを前記不揮発性メモリに書き込む書き込み制御部と、前記不揮発性メモリに書き込まれた前記記憶データに基づいて前記動作設定を行う設定部とを備える。
【００１６】
このような構成により、外部記憶媒体の記憶データの判定結果に応じた２段階の書き込み動作が可能となり、動作設定の更新処理の信頼性を高めることができる。
【００１７】
（３）好ましくは、前記ケーブル配信用ＯＦＤＭ信号変換装置は、さらに、前記ケーブル配信用ＯＦＤＭ信号変換装置に対する操作内容に応じて前記動作設定の内容を表示する表示部を備える。
【００１８】
このような構成により、外部記憶媒体の記憶データに基づく動作設定の反映内容を簡単に確認することができる。
【００１９】
以下、本考案の実施の形態について図面を用いて説明する。なお、図中同一または相当部分には同一符号を付してその説明は繰り返さない。また、以下に記載する実施の形態の少なくとも一部を任意に組み合わせてもよい。
【００２０】
［構成］
図１は、本考案の実施の形態に係る放送システムの構成を示す図である。
【００２１】
図１を参照して、放送システム２０１は、たとえばＭＰＥＧ２−ＴＳ（Ｍｏｖｉｎｇ  Ｐｉｃｔｕｒｅ  Ｅｘｐｅｒｔｓ  Ｇｒｏｕｐ  ２  Ｔｒａｎｓｐｏｒｔ  Ｓｔｒｅａｍ）規格に従う放送システムであり、ケーブルテレビ局側において、ケーブルテレビセンター装置１０１と、放送信号再送信装置１２１と、カプラ９１とを備える。なお、放送システム２０１は、他の方式に従う放送システムであってもよい。
【００２２】
放送システム２０１は、たとえば地上デジタル放送の放送信号とともに自主放送の放送信号を家庭側へ有線伝送する。
【００２３】
放送システム２０１において、ケーブルテレビセンター装置１０１は、自主放送用の放送信号をカプラ９１へ出力する。
【００２４】
放送信号再送信装置１２１は、たとえば地上デジタル放送の放送信号をアンテナ経由で受信し、受信した放送信号をカプラ９１へ出力する。
【００２５】
より詳細には、ケーブルテレビセンター装置１０１は、データソース１５１から自主放送用の番組を構成するコンテンツ信号たとえば映像信号および音声信号を受信し、受信した各信号の映像情報および音声情報を含むパケットをそれぞれ作成する。これらのパケットは、たとえばＭＰＥＧ２−ＴＳ方式に従うＴＳパケットであり、ヘッダ部およびペイロードにより構成される。ヘッダ部には識別子であるＰＩＤ（Ｐａｃｋｅｔ  Ｉｄｅｎｔｉｆｉｃａｔｉｏｎ）等が格納され、ペイロードには番組等に関する各種情報が格納される。
【００２６】
また、たとえば、ケーブルテレビセンター装置１０１は、通信販売の番組情報を含むＴＳパケットを通信網１５０から受信し、また、ＰＣ（Ｐｅｒｓｏｎａｌ  Ｃｏｍｐｕｔｅｒ）等の端末装置１５３からＭＰＥＧ２−ＴＳ規格に従うＰＡＴ（Ｐｒｏｇｒａｍ  Ａｓｓｏｃｉａｔｉｏｎ  Ｔａｂｌｅ）およびＰＭＴ（Ｐｒｏｇｒａｍ  Ｍａｐ  Ｔａｂｌｅ）等の制御情報を含むＴＳパケットを受信する。また、ケーブルテレビセンター装置１０１は、データソース１５２からＥＰＧ（Ｅｌｅｃｔｒｏｎｉｃ  Ｐｒｏｇｒａｍ  Ｇｕｉｄｅ）情報を含むＴＳパケットを受信する。
【００２７】
ケーブルテレビセンター装置１０１は、受信または作成した各パケットを多重化し、多重化後の各パケットを含む放送信号を出力する。
【００２８】
ケーブルテレビセンター装置１０１から出力された放送信号および放送信号再送信装置１２１から出力された放送信号は、カプラ９１において合波されて各家庭のケーブルテレビ受信装置１６１へ送信される。
【００２９】
図２は、本考案の実施の形態に係る放送システムにおけるケーブル配信用ＯＦＤＭ信号変換装置の構成を示す図である。
【００３０】
図２を参照して、ケーブル配信用ＯＦＤＭ信号変換装置６１は、たとえばケーブルテレビセンター装置１０１に含まれ、ＴＳ再多重部１１と、ＯＦＤＭ信号変換部１２と、設定部１３と、書き込み制御部１４と、不揮発性メモリ１５と、揮発性メモリ１６と、接続部１７と、操作部１８と、表示制御部１９と、表示部２０と、プラグ２１とを備える。
【００３１】
ＴＳ再多重部１１は、ケーブルテレビセンター装置１０１において受信または作成されたＴＳパケットを受けて、たとえばヌルパケットの挿入および各種情報の付加を行い、各ＴＳパケットを時間軸方向に多重化して出力する。
【００３２】
ＯＦＤＭ信号変換部１２は、ＯＦＤＭ変調処理を少なくとも行うことにより、ＴＳ再多重部１１から受けたＴＳパケットをＯＦＤＭ信号に変換し、放送信号としてカプラ９１へ出力する。
【００３３】
より詳細には、ＯＦＤＭ信号変換部１２は、たとえばＡＲＩＢ  ＳＴＤ−Ｂ３１の規定に従い、１または複数のＯＦＤＭセグメントにより構成される階層すなわち放送サービスごとに、誤り訂正符号化処理、キャリア変調処理およびインターリーブ処理等を行う。また、ＯＦＤＭ信号変換部１２は、制御情報であるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号の生成、ＯＦＤＭフレームの構成およびＩＦＦＴ（Ｉｎｖｅｒｓｅ  Ｆａｓｔ  Ｆｏｕｒｉｅｒ  Ｔｒａｎｓｆｏｒｍ）等を行う。
【００３４】
外部記憶媒体５１は、たとえばＣＦ（Ｃｏｍｐａｃｔ  Ｆｌａｓｈ）カードである。外部記憶媒体５１には、ＴＳ再多重部１１およびＯＦＤＭ信号変換部１２において用いられる各種パラメータが保存されている。具体的には、たとえば、外部記憶媒体５１は、階層を構成するＯＦＤＭセグメント、ならびに、階層ごとの、キャリア変調方式、符号化率および時間インターリーブ長等を含む、ＡＲＩＢ  ＳＴＤ−Ｂ３１の規定に従う編成情報を記憶する。なお、外部記憶媒体５１には、このような記憶データのバージョン情報がさらに保存されてもよい。
【００３５】
接続部１７は、外部記憶媒体５１を接続可能である。より詳細には、接続部１７は、外部記憶媒体５１を接続可能な構造、たとえばコネクタ等により構成される挿入口を有する。具体的には、この挿入口は、たとえばケーブルテレビセンター装置１０１の背面に設けられる。また、接続部１７は、外部記憶媒体５１が挿入口に差し込まれると、たとえば論理ハイレベルまたは論理ローレベルの接続信号を書き込み制御部１４および表示制御部１９へ出力する。
【００３６】
書き込み制御部１４は、接続部１７から接続信号を受けると、外部記憶媒体５１の記憶データを揮発性メモリ１６に書き込む。
【００３７】
表示制御部１９は、接続部１７から接続信号を受けると、表示部２０を制御することにより、外部記憶媒体５１がケーブル配信用ＯＦＤＭ信号変換装置６１に正常に接続された旨を表示する。具体的には、たとえば、表示制御部１９は、接続部１７から接続信号を受けて、表示部２０におけるＬＥＤ（Ｌｉｇｈｔ  Ｅｍｉｔｔｉｎｇ  Ｄｉｏｄｅ）を点灯する。
【００３８】
操作部１８は、第１のトリガ部として、外部記憶媒体５１の記憶データのケーブル配信用ＯＦＤＭ信号変換装置６１への書き込みのトリガを与える。より詳細には、操作部１８は、ケーブル配信用ＯＦＤＭ信号変換装置６１に設けられたデータ書き込み用の操作ボタン等に対するユーザの操作を受けると、操作信号１を書き込み制御部１４へ出力する。
【００３９】
書き込み制御部１４は、操作部１８から操作信号１を受けると、揮発性メモリ１６に書き込まれた記憶データを判定し、判定結果に応じて当該記憶データを不揮発性メモリ１５に書き込む。より詳細には、書き込み制御部１４は、当該記憶データの正当性をチェックサム等を用いて判定し、当該記憶データが正当であると判定した場合、当該記憶データを不揮発性メモリ１５に書き込む。
【００４０】
プラグ２１は、第２のトリガ部として、不揮発性メモリ１５に書き込まれた記憶データの内容をＴＳ再多重部１１およびＯＦＤＭ信号変換部１２の動作設定に反映するトリガを与える。
【００４１】
より詳細には、プラグ２１がコンセント等の電源側から外されてケーブル配信用ＯＦＤＭ信号変換装置６１への電力供給が停止し、その後、再びプラグ２１がコンセント等に差し込まれて当該電力供給が再開されると、設定部１３は、不揮発性メモリ１５に書き込まれている最新の記憶データに基づいてＴＳ再多重部１１およびＯＦＤＭ信号変換部１２の動作設定を行う。これにより、ＴＳ再多重部１１およびＯＦＤＭ信号変換部１２は、新たな編成情報の示す各種パラメータに従って動作する。
【００４２】
また、表示部２０は、ケーブル配信用ＯＦＤＭ信号変換装置６１に対する操作内容に応じてＴＳ再多重部１１およびＯＦＤＭ信号変換部１２の動作設定の内容を表示する。
【００４３】
より詳細には、操作部１８は、ケーブル配信用ＯＦＤＭ信号変換装置６１に設けられた設定表示用の操作ボタン等に対するユーザの操作を受けると、操作信号２を表示制御部１９へ出力する。
【００４４】
表示制御部１９は、操作部１８から操作信号２を受けると、表示部２０を制御することにより、表示部２０におけるＬＣＤ（Ｌｉｑｕｉｄ  Ｃｒｙｓｔａｌ  Ｄｉｓｐｌａｙ）等に上記動作設定の内容およびバージョン情報等を表示する。
【００４５】
ケーブルテレビ等の放送配信事業者の局舎では、運用系および予備系の複数のケーブルテレビセンター装置１０１等の配信装置が設けられる場合が多い。ケーブル配信用ＯＦＤＭ信号変換装置６１では、外部記憶媒体５１を接続して動作設定を変更可能な構成により、１つの外部記憶媒体５１を作業者が各装置に順番に挿入することで各装置の動作設定を容易に更新することができる。また、装置を操作して記憶データをネットワークからダウンロードするような技術レベルの高い作業を事業者において行う必要がなく、簡単な作業でより確実に動作設定を更新することができる。
【００４６】
なお、本考案の実施の形態に係るケーブル配信用ＯＦＤＭ信号変換装置では、外部記憶媒体５１の記憶データの内容をＴＳ再多重部１１およびＯＦＤＭ信号変換部１２の両方の動作設定に反映する構成であるとしたが、これに限定するものではない。ケーブル配信用ＯＦＤＭ信号変換装置６１は、外部記憶媒体５１の記憶データの内容をＯＦＤＭ信号変換部１２の動作設定に反映する構成であってもよい。
【００４７】
また、本考案の実施の形態に係るケーブル配信用ＯＦＤＭ信号変換装置では、操作部１８が第１のトリガ部として機能し、プラグ２１が第２のトリガ部として機能する構成であるとしたが、これに限定するものではない。たとえば、接続部１７が第１のトリガ部として機能し、操作部１８が第２のトリガ部として機能する構成であってもよい。
【００４８】
また、本考案の実施の形態に係るケーブル配信用ＯＦＤＭ信号変換装置では、書き込み制御部１４が、揮発性メモリ１６に書き込まれた記憶データを判定して不揮発性メモリ１５に書き込む構成であるとしたが、これに限定するものではない。ケーブル配信用ＯＦＤＭ信号変換装置６１は、揮発性メモリ１６を備えず、書き込み制御部１４が、外部記憶媒体５１の記憶データの判定を行わずに不揮発性メモリ１５に書き込む構成であってもよい。
【００４９】
また、本考案の実施の形態に係るケーブル配信用ＯＦＤＭ信号変換装置は、操作および表示に関する操作部１８、表示制御部１９および表示部２０を備えない構成であってもよい。
【００５０】
また、ケーブル配信用ＯＦＤＭ信号変換装置６１は、ケーブルテレビ放送の用途に限らず、館内放送等、他の放送システムに用いることも可能である。すなわち、ケーブル配信用ＯＦＤＭ信号変換装置６１は、ケーブルテレビセンター装置１０１以外の装置に含まれてもよいし、単独の装置として用いられてもよい。
【００５１】
ところで、デジタル放送システムにおける放送信号の送信装置では、ＯＦＤＭ信号変換装置が設けられ、ＯＦＤＭ変調された放送信号が送信される。このＯＦＤＭ信号変換装置には、たとえばＡＲＩＢ  ＳＴＤ−Ｂ３１の規定に従う多様な通信パラメータの設定が可能である一方で、事業者の運営する局舎においてこのような多様な通信パラメータを変更する必要がある場合、困難性を伴う。
【００５２】
これに対して、本考案の実施の形態に係るケーブル配信用ＯＦＤＭ信号変換装置では、ＯＦＤＭ信号変換部１２は、ＯＦＤＭ変調処理を少なくとも行う。接続部１７は、外部記憶媒体５１を接続可能である。第１のトリガ部は、外部記憶媒体５１の記憶データのケーブル配信用ＯＦＤＭ信号変換装置６１への書き込みのトリガを与える。第２のトリガ部は、書き込まれた記憶データの内容をＯＦＤＭ信号変換部１２の動作設定に反映するトリガを与える。
【００５３】
このように、外部記憶媒体５１を接続して動作設定を変更可能な構成により、たとえば１つの外部記憶媒体５１を作業者が複数の装置に順番に挿入することで各装置の動作設定を容易に更新することができる。また、装置を操作して記憶データをネットワークからダウンロードするような技術レベルの高い作業を行うことなく、簡単な作業でより確実に動作設定を更新することができる。
【００５４】
したがって、本考案の実施の形態に係るケーブル配信用ＯＦＤＭ信号変換装置では、ＯＦＤＭ信号変換部の動作設定の変更に伴う作業を簡単化することができる。
【００５５】
また、本考案の実施の形態に係るケーブル配信用ＯＦＤＭ信号変換装置では、書き込み制御部１４は、外部記憶媒体５１の記憶データを揮発性メモリ１６に書き込み、揮発性メモリ１６に書き込まれた記憶データを判定し、判定結果に応じて当該記憶データを不揮発性メモリ１５に書き込む。そして、設定部１３は、不揮発性メモリ１５に書き込まれた記憶データに基づいてＯＦＤＭ信号変換部１２の動作設定を行う。
【００５６】
このような構成により、外部記憶媒体５１の記憶データの判定結果に応じた２段階の書き込み動作が可能となり、動作設定の更新処理の信頼性を高めることができる。
【００５７】
また、本考案の実施の形態に係るケーブル配信用ＯＦＤＭ信号変換装置では、表示部２０は、ケーブル配信用ＯＦＤＭ信号変換装置６１に対する操作内容に応じてＯＦＤＭ信号変換部１２の動作設定の内容を表示する。
【００５８】
このような構成により、外部記憶媒体５１の記憶データに基づく動作設定の反映内容を簡単に確認することができる。
【００５９】
以上の説明は、以下に付記する特徴を含む。
【００６０】
上記実施の形態は、すべての点で例示であって制限的なものではないと考えられるべきである。本考案の範囲は、上記説明ではなく実用新案登録請求の範囲によって示され、実用新案登録請求の範囲と均等の意味および範囲内でのすべての変更が含まれることが意図される。
【００６１】
［付記１］
ケーブル配信用ＯＦＤＭ信号変換装置であって、
ＯＦＤＭ変調処理を少なくとも行うＯＦＤＭ信号変換部と、
外部記憶媒体を接続可能な接続部と、
前記外部記憶媒体の記憶データの前記ケーブル配信用ＯＦＤＭ信号変換装置への書き込みのトリガを与える第１のトリガ部と、
書き込まれた前記記憶データの内容を前記ＯＦＤＭ信号変換部の動作設定に反映するトリガを与える第２のトリガ部とを備え、
前記外部記憶媒体はＣＦカードであり、
前記記憶データは、ＡＲＩＢ  ＳＴＤ−Ｂ３１の規定に従う編成情報であり、
前記ケーブル配信用ＯＦＤＭ信号変換装置は、さらに、
複数のＴＳパケットを時間軸方向に多重化して前記ＯＦＤＭ信号変換部へ出力するＴＳ再多重部を備え、
前記第２のトリガ部は、書き込まれた前記記憶データの内容を前記ＯＦＤＭ信号変換部の動作設定および前記ＴＳ再多重部の動作設定に反映するトリガを与える、ケーブル配信用ＯＦＤＭ信号変換装置。
【符号の説明】
【００６２】
１１  ＴＳ再多重部
１２  ＯＦＤＭ信号変換部
１３  設定部
１４  書き込み制御部
１５  不揮発性メモリ
１６  揮発性メモリ
１７  接続部
１８  操作部
１９  表示制御部
２０  表示部
２１  プラグ
６１  ケーブル配信用ＯＦＤＭ信号変換装置
９１  カプラ
１０１  ケーブルテレビセンター装置
１２１  放送信号再送信装置
２０１  放送システム
【図１】
0003209582.tif 000003
【図２】
0003209582.tif 000004